(57)【要約】【課題】潜熱回収用の第２熱交換器を持つ燃焼装置を改良するものであり、凍結防止運転時における第２熱交換器の止水状態での加熱を防ぐことができる燃焼装置の開発を課題とする。【解決手段】高温側温度センサー４０と、低温側温度センサー４１及びヘッダー部の温度センサーを監視する。そしてこれらのいずれかが５℃以下を示すと凍結防止運転が開始され、暖房循環ポンプ２３が起動され、同時に暖房端末の熱動弁が開かれる。その結果、暖房端末を経由して第１、第２熱交換器に熱媒体が流れる。続いて風呂熱動弁２１が開かれる。その結果第３熱交換器の一次側を経由して第１、第２熱交換器に熱媒体が循環する。【選択図】　図２
2004044915.tif 000002
【特許請求の範囲】
【請求項１】
燃料を燃焼する燃焼手段と、当該燃焼手段において発生した燃焼ガスと熱交換を行う第１熱交換器と、第１熱交換器よりも燃焼ガスの下流側に配置され第１熱交換器を通過した燃焼ガスと熱交換を行う第２熱交換器と、燃焼ガスの流路外に置かれた第３熱交換器と、ポンプと、第３熱交換器に繋がる開閉弁を有し、前記第１、第２熱交換器は直列的に接続され、第３熱交換器は直列的に接続された状態における前記第１、第２熱交換器の両端側を接続する関係に配管接続され、さらに第１熱交換器と第３熱交換器を結ぶ間と、第２熱交換器と第１熱交換器を結ぶ間同士の間が配管接続され、所定の位置に往き口と戻り口が設けられていて液体が他の機器に対して往き来し、さらに凍結防止運転機能を備え、凍結防止運転に際してはポンプが動作すると共に燃焼手段が燃焼し、開閉弁が開いて第１及び第２熱交換器と第３熱交換器を環状に結ぶ流路を開き、燃焼が終了すると開閉弁が閉じることを特徴とする燃焼装置。
【請求項２】
第３熱交換器は、浴槽の水を加熱する液・液熱交換器であることを特徴とする請求項１に記載の燃焼装置。
【請求項３】
第１、第２熱交換器は、暖房装置に接続されていることを特徴とする請求項１又は２に記載の燃焼装置。
【発明の詳細な説明】
【０００１】
【発明の属する技術分野】
本発明は、燃焼装置に関するものであり、特に燃焼ガスの潜熱を利用する熱交換器を備えた燃焼装置として好適なものである。
【０００２】
【従来の技術】
床暖房等の暖房器具と、風呂の追い焚き機能を一台の燃焼装置で賄う構造の燃焼装置が知られている。当該燃焼装置では、燃焼ガスの流路内に設けられた気・液熱交換器と、燃焼ガス流路外に設けられた液・液熱交換器を備える。そして液・液熱交換器は、気・液熱交換器の両端側を接続する様に配管されている。また液・液熱交換器には熱動弁等の開閉弁が接続されている。そして気・液熱交換器に暖房器具が接続され、液・液熱交換器には風呂が接続される。したがって気・液熱交換器を中心に考えたとき、液・液熱交換器と暖房器具は並列関係となる。また燃焼ガス流路内には、暖房機器をバイパスするバイパス流路が設けられている。なおバイパス流路についても液・液熱交換器および暖房器具と並列関係となる。
【０００３】
【発明が解決しようとする課題】
ところで、近年、省エネルギーや環境保護の観点から、従来の燃焼装置よりもさらにエネルギー効率の高い燃焼装置が切望されている。そこで、本発明者らはかかる要望を解決すべく燃焼ガスの顕熱に加えて潜熱も回収可能な潜熱回収型燃焼装置を試作した。
【０００４】
試作した潜熱回収型燃焼装置は、主として燃焼ガスの顕熱を回収する第１熱交換器と、主として潜熱を回収する第２熱交換器とを備えたものであり、従来の燃焼装置に比べて熱効率が高い。
試作した燃焼装置では、第１熱交換器と第２熱交換器は、直列的に接続され、水等の被加熱物は、第２熱交換器から入り、第１熱交換器側に流れる。また暖房機器をバイパスするバイパス流路が設けられており、当該バイパス流路は、第１熱交換器の出入り側を短絡する様に配管接続されている。また液・液熱交換器は、直列的に接続された状態における前記第１、第２熱交換器の両端側を接続する関係に配管接続され、第１熱交換器と第２熱交換器を中心に考えたとき、液・液熱交換器と暖房器具は並列関係となる。
【０００５】
バイパス流路についても液・液熱交換器および暖房器具と並列関係となる。なおパイパス流路を設ける理由は、床暖房等の暖房端末が未接続であったり、暖房端末側の熱動弁等が閉止している状態であっても暖房循環ポンプを動作させて熱媒体の循環が可能とするためである。すなわちバイパス流路は暖房機器をバイパスするものであり、第１熱交換器の入側と出側を短絡する様に配管接続されているから、床暖房等の暖房端末が未接続であったり、暖房端末側の熱動弁等が閉止している状態であっても暖房循環ポンプを動作させると熱媒体が第１熱交換器を経由して循環する。
またパイパス流路を設けるもう一つの理由は、暖房端末等に流れ込む熱媒体の量を調節するためである。
【０００６】
風呂の追い焚き側の回路は、公知のものと同一であり、ガス流路外に設けられた液・液熱交換器を備え、第１、第２熱交換器と液・液熱交換器は直列的に接続されている。また液・液熱交換器には熱動弁等の開閉弁が接続されている。
【０００７】
上記した構成の燃焼装置は、周知の燃焼装置に潜熱回収用の第２熱交換器を付加したものであり、通常運転の際には何ら問題なく動作する。しかしながら、試作機は、凍結防止運転を行う際に予期しない不具合が生じた。
すなわち寒冷地で使用する燃焼装置は、内部の水の凍結を防止するために、一定条件下においてバーナを燃焼させる。そして同時に気・液熱交換器に水等を循環させる。その結果、器具内の水が加熱され、さらに暖房端末（床暖房器具等）を循環して凍結が防止される。また暖房端末の開閉弁等が閉じている場合には、第１熱交換器をバイパスするバイパス流路を水が循環する。
【０００８】
ところが、本出願人等が試作した燃焼装置では、バイパス流路は、第１熱交換器の両端側だけを短絡するものであるから、暖房端末の開閉弁が閉じていると、第２熱交換器側に通水されない。そのため凍結防止運転の際に、第２熱交換器が止水状態で加熱されることとなり、当該熱交換器内に残留する水が沸騰して異音を発生するという不具合が生じた。
そこで第１熱交換器だけでなく、第２熱交換器をもバイパス流路で短絡させる構成も検討したが、当該流路構成によると第２熱交換器の入力側に高温の湯等が流れ込むタイミングが生じ、熱効率の低下を招く為好ましくない。
【０００９】
そこで本発明は、実験によって発見された不具合を解消することを課題とするものであり、凍結防止運転時における、第２熱交換器の止水状態での加熱を防ぐことができる燃焼装置の開発を課題とするものである。
【００１０】
【課題を解決するための手段】
上記した課題を解決するための請求項１に記載の発明は、燃料を燃焼する燃焼手段と、当該燃焼手段において発生した燃焼ガスと熱交換を行う第１熱交換器と、第１熱交換器よりも燃焼ガスの下流側に配置され第１熱交換器を通過した燃焼ガスと熱交換を行う第２熱交換器と、燃焼ガスの流路外に置かれた第３熱交換器と、ポンプと、第３熱交換器に繋がる開閉弁を有し、前記第１、第２熱交換器は直列的に接続され、第３熱交換器は直列的に接続された状態における前記第１、第２熱交換器の両端側を接続する関係に配管接続され、さらに第１熱交換器と第３熱交換器を結ぶ間と、第２熱交換器と第１熱交換器を結ぶ間同士の間が配管接続され、所定の位置に往き口と戻り口が設けられていて液体が他の機器に対して往き来し、さらに凍結防止運転機能を備え、凍結防止運転に際してはポンプが動作すると共に燃焼手段が燃焼し、開閉弁が開いて第１及び第２熱交換器と第３熱交換器を環状に結ぶ流路を開き、燃焼が終了すると開閉弁が閉じることを特徴とする燃焼装置である。
なお凍結防止運転時におけるポンプの起動、燃焼手段への点火、および開閉弁の開動作の順序は不同であるが、通常は、ポンプが回転を開始した後に燃焼手段に対して点火される。
【００１１】
本発明の燃焼装置では、通常の気・液熱交換器たる第１熱交換器の下流に潜熱回収用の第２熱交換器が設けられている。そのため本発明の燃焼装置は、熱効率が高い。また本発明の燃焼装置においては、凍結防止運転に際して燃焼手段が燃焼すると開閉弁が開いて第３熱交換器に至る流路を開く。ここで本発明では、第３熱交換器は、直列的に接続された状態における前記第１、第２熱交換器の両端側を接続する関係に配管接続されている。そのため第１、第２熱交換器の水は、第３熱交換器を経由して循環する。そのため試作機で問題となった様な、第２熱交換器の止水状態での加熱は起こらない。
また本発明の燃焼装置では、燃焼が終了すると開閉弁が閉じるので、熱媒体の熱が風呂側に逃げることがなく、熱の無駄な放散を防ぐことができる。
【００１２】
また請求項２に記載の発明は、第３熱交換器は、浴槽の水を加熱する液・液熱交換器であることを特徴とする請求項１に記載の燃焼装置である。
【００１３】
本発明の燃焼装置では、第３熱交換器によって浴槽内の湯水を追い焚きすることができる。
【００１４】
また請求項３に記載の発明は、第１、第２熱交換器は、暖房装置に接続されていることを特徴とする請求項１又は２に記載の燃焼装置である。
【００１５】
本発明の燃焼装置では、第１、第２熱交換器によって室内の温度を適温に保つことができる。
【００１６】
【発明の実施の形態】
以下、本発明の一実施形態である燃焼装置について図面を参照しながら説明する。図１は、本実施形態の燃焼装置の配管系統図である。図２は、図１の配管系統図の要部を抜き出して簡略化した配管系統図である。図３は、本発明の燃焼装置の動作を説明するフローチャートである。
【００１７】
本発明の燃焼装置は、内部に独立した二系統の缶体及び配管系統を備える。すなわち図１において、右側の缶体１は、給湯用であり、左側の缶体２は、風呂及び暖房器具用に使用される。
【００１８】
本発明は風呂及び暖房器具用の配管系統に特徴があるので、当該部位の配管に重点を絞って説明する。
すなわち缶体２は、大別して加熱部３と、加熱部３において発生した燃焼ガスと熱媒体（水等）とが熱交換を行う熱交換部４と、熱交換部４を通過した燃焼ガスを缶体２の外部に排出する排気部５とから構成されている。
【００１９】
加熱部３は、ガスや灯油等の液体燃料を燃焼するバーナ（燃焼手段）６と燃焼空間部７とから構成されている。バーナ６において発生した高温の燃焼ガスは、燃焼空間部７を通過し、熱交換部４へと流入する。
【００２０】
熱交換部４は、燃焼空間部７に連続した熱交換器８（第１熱交換器）と、熱交換器１０（第２熱交換器）とが直列的にに配置されたものである。すなわち本実施形態では、燃焼装置は、第１熱交換器８と、第２熱交換器１０という２基の熱交換器を持つ。そして第１熱交換器８と、第２熱交換器１０はいずれも燃焼ガスの流路内にあり、両者は燃焼ガスの流路に対して直列に配置されている。
【００２１】
熱交換器８は、主要部分が銅製であり、主として前記燃焼ガスの顕熱を回収するものであり、内部に湯水や不凍液などの熱媒体が流れるフィンアンドチューブ方式の熱交換器である。熱交換器８は、燃焼空間部７に連続した位置に設けられており、燃焼空間部７から熱交換部３内に流入した高温の燃焼ガスと熱交換を行う。
【００２２】
熱交換器１０は、熱交換器８において熱交換を行った後の燃焼ガスと熱交換を行うものである。熱交換器１０は、主として燃焼ガスの持つ潜熱を回収するものである。燃焼ガスが保有する熱の中で、熱交換器８において回収されなかった熱エネルギーの大部分が熱交換器１０において回収される。そのため、熱交換器１０を通過した燃焼ガスは、１００℃以下程度の低温となる。熱交換器１０は、主要部分がステンレス製等であり、熱交換器８に比べて防錆特性に優れている。そのため、熱交換器１０は、燃焼ガスから潜熱を回収する際に発生する酸性の凝結水に晒される雰囲気下に配置されてもほとんど腐食されず、錆が発生しない。
【００２３】
また風呂側の回路に属する部材として、第３熱交換器２０、風呂熱動弁２１、及び風呂水循環ポンプ２２がある。一方、暖房側の回路に属する部材として、暖房循環ポンプ２３、膨張タンク２４、及びバイパス熱動弁２５がある。
そして前記した第１熱交換器８と第２熱交換器１０は、流路（熱媒流路　具体的には水路）が直列に接続され、その間に膨張タンク２４及び暖房循環ポンプ２３が接続されている。また暖房端末側をバイパスするために設けられたバイパス流路２６が設けられている。なお第１熱交換器８と第２熱交換器１０を中心に考えたとき、第３熱交換器２０、暖房端末側およびバイパス流路２６は互いに並列関係にある。
【００２４】
バイパス流路２６は、第１熱交換器８の入側と出側を短絡するものであり、第１熱交換器８と第３熱交換器２０を結ぶ１−３熱交連結路と、第２熱交換器と第１熱交換器を結ぶ２−１熱交連結路の間がバイパス流路２６を介して配管接続されている。
当該バイパス流路２６にバイパス熱動弁２５が設けられている。またさらにバイパス熱動弁２５をバイパスするサブバイパス流路２７が設けられている。
【００２５】
また燃焼装置には暖房往き口（高温側）３０と暖房戻り口３１及び暖房往き口（低温側）３４が設けられている。そして暖房戻り口３１が第２熱交換器１０の入り側に接続されている。また第２熱交換器１０の出側は膨張タンク２４に接続され、さらに暖房循環ポンプ２３を経て第１熱交換器８の入り側に接続されている。また第１熱交換器８の出側は、高温側暖房往き口３０に接続されている。また暖房循環ポンプ２３の出側と第１熱交換器８の入り側の間が分岐され、暖房往き口（低温側）３４に接続されている。
膨張タンク２４の入り側と第１熱交換器８の出側との間に前記したバイパス流路２６があり、当該バイパス流路２６にバイパス熱動弁２５が設けられている。バイパス流路２６は第１熱交換器８の両端を短絡するものであり、第２熱交換器１０は短絡されない。したがって第１熱交換器８、バイパス流路２６、膨張タンク２４及び暖房循環ポンプ２３によって一つの環状の循環回路が構成される。
すなわち本実施形態では、第１熱交換器８の出側と暖房往き口（高温側）３０の間に分岐部４８が設けられてバイパス流路２６が設けられ、バイパス流路２６の他端側は、第２熱交換器１０と膨張タンク２４の間に接続されている。
【００２６】
また図１，２の様に、第１及び第２熱交換器８，１０に対して直列的に第３熱交換器２０が設けられている。第３熱交換器２０は、第１及び第２熱交換器８，１０で加熱された水と、風呂の湯水との間で熱交換するものであり、液・液型の熱交換器である。したがって第３熱交換器２０には一次側（熱媒体通過側）と二次側（風呂水循環側）があり、それぞれに入り側と出側がある。
【００２７】
第３熱交換器２０は、第２及び第１熱交換器に対して直列的且つ環状に配されたものであり、第３熱交換器は、直列的に接続された状態における前記第１、第２熱交換器の両端側を短絡して接続する関係に配管接続されている。
【００２８】
すなわち第３熱交換器２０の一次側の一方の接続口は、第１熱交換器８の出側と暖房往き口３０の間に接続されている。具体的には、第１熱交換器８の出側と暖房往き口３０の間に分岐点４６が設けられ、第３熱交換器２０の一次側の他方の接続口（入り側）は当該分岐点４６に接続されている。なお本発明においては、分岐点４６，４８のいずれが上流であるか下流であるかは問題ではない。
【００２９】
第３熱交換器２０の一次側の他方の接続口は、暖房戻り口３１から第２熱交換器に至る間に接続されている。すなわち暖房戻り口３１から第２熱交換器に至る間に分岐点４５が設けられ、第３熱交換器２０の一次側の他方の接続口から延長された３２配管が合流している。
【００３０】
一方、第３熱交換器２０の二次側は、風呂戻り口３３と風呂往き口３５に接続され、風呂戻り口３３と第３熱交換器２０の間には風呂水循環ポンプ２２が設けられている。
暖房往き口（高温側）３０及び暖房戻り口３１は、ファンコンベクタ等の高温の熱媒体を使用する暖房端末に接続される。一方、暖房往き口（低温側）３４及び暖房戻り口３１の間には、床暖房装置等の低温の熱媒体を使用する暖房端末に接続される。風呂往き口３５及び風呂戻り口３３は、図示しない浴槽に接続される。
【００３１】
また燃焼装置には、高温側温度センサー４０と、低温側温度センサー４１が設けられている。すなわち高温側温度センサー４０は、第１熱交換器８の出口側に設けられている。高温側温度センサー４０は、第１熱交換器８を出た直後の熱媒温度を測定するものである。
低温側温度センサー４１は膨張タンク２４の底部に設けられている。低温側温度センサー４１は第２熱交換器１０を出て、膨張タンク２４に入った熱媒体の温度を測定するものである。
【００３２】
そしてファンコンベクタや床暖房等の暖房機器を使用する際には、缶体２内の下部に設けられた送風機によって缶体２内に送風しつつ、バーナ６で火炎を発生させる。また同時に暖房循環ポンプ２３を動作させる（暖房循環ポンプ２３は通常運転時には常時動作している）。その結果、暖房端末を経由して水等の熱媒体が第１及び第２熱交換器８，１０に流れる。
すなわち端末側から暖房戻り口３１を経て熱媒体が戻り、最初に第２熱交換器１０を流れる。第２熱交換器１０によってある程度の温度に加熱された熱媒体は、膨張タンク２４と暖房循環ポンプ２３を経た後に第１熱交換器８側と暖房往き口（低温側）３４側に分岐される。そして第２熱交換器１０によってある程度の温度に加熱された熱媒体の一部は暖房往き口（低温側）３４から排出され、低温の熱媒体を使用する床暖房装置等に送られる。また第２熱交換器１０を出た熱媒体の残部は、第１熱交換器８の入り、さらに加熱される。そして第１熱交換器８を出た熱媒体は、暖房往き口（高温側）３０からファンコンベクタ等の高温を要する暖房端末に送られ、室内等を温める。
【００３３】
なお本実施形態では、二つの暖房往き口３０，３１から吐出される熱媒体の割合を、バイパス流路２６に設けられたバイパス熱動弁２５の開閉によって調節している。すなわちバイパス熱動弁２５を全開にすると、第１熱交換器８を出た熱媒体の多くがバイパス流路２６を流れて膨張タンク２４側に戻る。その結果、暖房往き口（高温側）３０から排出される熱媒体の量が減少し、暖房往き口（低温側）３４から排出される熱媒体の量が増大する。逆に、バイパス熱動弁２５を閉止すると、第１熱交換器８を出た熱媒体の多くが暖房往き口（高温側）３０から排出されるので、暖房往き口（高温側）３０から排出される熱媒体の量が増大し、暖房往き口（低温側）３４から排出される熱媒体の量が減少する。
【００３４】
なお本実施形態では、二つの熱交換器８，１０の内、第１熱交換器８の出入口だけをバイパス流路２６で短絡し、第２熱交換器１０は短絡しないが、第２熱交換器１０についてもバイパス流路で短絡させる構成とすると、第２熱交換器に流入する熱媒体の温度が高くなり過ぎ、第２熱交換器の熱効率が低下してしまうという不具合がある。特にバイパス熱動弁２５を開いて第１熱交換器１０を出た熱媒体を上流側に戻す際、第１、第２熱交換器８，１０の双方を短絡させる構成とすると、第１熱交換器１０を出た高温の熱媒体が直接的に第２熱交換器１０に流れ込んでしまい、第２熱交換器１０の熱効率を低下させてしまう。そのため第２熱交換器８，１０を短絡する構成は、採用できない。
【００３５】
浴槽内の湯水を加熱する際には風呂水循環ポンプ２２を起動し、風呂熱動弁２１を開く。その結果、熱媒体が第３熱交換器側２０の一次側に流れ、同二次側には浴槽内の水が流れる。そして熱媒体と浴槽内の水の間で熱交換が行われ、浴槽内の湯水が加熱される。
すなわち風呂熱動弁２１を開くと、第３熱交換器側２０の一次側の流路が開放される。より具体的には、第３熱交換器側２０を含む並列流路たる、分岐点４６，４５間が連通する。その結果、暖房循環ポンプ２３によって加圧され、第１熱交換器８を通過した熱媒が、分岐点４６から分岐路４７に入り、第３熱交換器側２０を流れ、さらに分岐流路３２を流れて分岐点４５から暖房戻り口３１側の流路に入る。そして再度第２熱交換器１０に流れ込む。
一方、第３熱交換器側２０の二次側には、風呂水循環ポンプ２２によって浴槽内の水が流れ込むので、第３熱交換器側２０で熱交換が行われ、二次側の浴槽水が加熱される。
【００３６】
次に凍結防止運転について説明する。凍結防止運転は、燃焼装置内の温度又は図示しないヘッダーの温度が所定の温度以下となった事を契機として開始される。すなわち図３に示すフローチャートにおいて、ステップ１，２で高温側温度センサー４０と、低温側温度センサー４１及びヘッダー部の温度センサーを監視し、これらのいずれかが５℃以下を示すと凍結防止運転が開始される。
具体的には、ステップ３に移行して暖房循環ポンプ２３が起動され、同時に暖房端末の熱動弁（図示せず）が開かれる。その結果、暖房端末を経由して第１、第２熱交換器に熱媒体が流れる。
【００３７】
続いてステップ４に移行し、風呂熱動弁２１が開かれる。その結果第３熱交換器２０の一次側に熱媒体が流れる。
ここで前記した様にステップ３で暖房端末を開くことによって暖房端末を経由して第１、第２熱交換器に熱媒体が流れるから、あえてステップ４で第３熱交換器２０の一次側に熱媒体を流す必要性が低い様にも思われるが、本実施形態では、ステップ４で第３熱交換器２０の一次側に熱媒体を流す。
この理由は、暖房端末の元弁が閉じていたり、暖房端末自体が繋がれていない様な場合もあり得るためであり、この様な状況下においては、第２熱交換器１０側に熱媒体が流れないからである。そこで本実施形態では、ステップ４で風呂熱動弁２１を開いて第３熱交換器２０の一次側に熱媒体を流し、第３熱交換器２０の一次側を経由して第１、第２熱交換器８，１０に熱媒体を循環させている。すなわちステップ４で風呂熱動弁２１が開かれると、第１及び第２熱交換器８，１０と第３熱交換器２０を環状に結ぶ流路が開き、第１、第２熱交換器に熱媒体が流れる。
【００３８】
そして続いてステップ５でバーナ（燃焼手段）６を点火する。そしてステップ６で高温側温度センサー４０が２０℃以上を示すのを待つ。
ステップ６で高温側温度センサー４０が２０℃以上となった事が確認されるとステップ７に移行し、暖房燃焼を終了すると共に風呂熱動弁２１を閉じる。
ここで風呂熱動弁２１を閉じるのは、熱媒体の熱が風呂側に逃げることを防ぐためである。
すなわち風呂熱動弁２１が開いており、さらに風呂水循環ポンプ２２が起動すると第３熱交換器２０内で熱交換が行われ、熱媒体の熱が風呂側に逃げる。そのため熱媒体の温度が急速に低下し、上記した凍結防止の為の燃焼（暖房燃焼）を頻繁に行う結果となる。そこで本実施形態では、このような事態を防ぐために、暖房燃焼が終了すると風呂熱動弁２１を閉じる。
【００３９】
そしてステップ８に移行し、５分経過を待つ。５分が過ぎて機器内に熱媒体が行き渡り、機器内の温度が上昇すると、ステップ９に移行して端末熱動弁を閉じる。そして暖房循環ポンプ２３をポスト循環した後、暖房循環ポンプ２３を停止し、ステップ１に戻る。
【００４０】
【発明の効果】
以上説明した様に、本発明の燃焼装置では、潜熱回収用の第２熱交換器が設けられているので熱効率が高い。また本発明の燃焼装置では、凍結防止運転に際して燃焼手段が燃焼すると開閉弁が開いて、第１、第２熱交換器に対してこれらを短絡する関係にある第３熱交換器に至る流路を開く。その結果、第１、第２熱交換器の水等は、第３熱交換器を経由して循環する。そのため本発明の燃焼装置では、凍結防止運転の際に、第２熱交換器が止水状態で加熱されることが防止される。
また本発明の燃焼装置では、燃焼が終了すると開閉弁が閉じるので、熱媒体の熱が風呂側に逃げることがなく、熱の無駄な放散を防ぐことができる。
【００４１】
さらに請求項２に記載の燃焼装置では、第３熱交換器によって浴槽内の湯水を追い焚きすることができる。
【００４２】
また請求項３に記載の燃焼装置では、第３熱交換器によって室内の温度を適温に保つことができる。
【図面の簡単な説明】
【図１】本実施形態の燃焼装置の配管系統図である。
【図２】図１の配管系統図の要部を抜き出して簡略化した配管系統図である。
【図３】本発明の燃焼装置の動作を説明するフローチャートである。
【符号の説明】
２　缶体
３　加熱部
８　第１熱交換器
１０　第２熱交換器
２０　第３熱交換器
２１　風呂熱動弁
２２　風呂水循環ポンプ
２３　暖房循環ポンプ
２４　膨張タンク
２５　バイパス熱動弁
２６　バイパス流路
【図１】
2004044915.tif 000003
【図２】
2004044915.tif 000004
【図３】
2004044915.tif 000005